(57)【特許請求の範囲】
【請求項１】
被検体の胸部を走査して収集したスキャンデータに対して順に、フーリエ変換、高周波数領域抑制フィルタリング、フーリエ逆変換、逆投影演算を行って肺野及び縦縞を含む胸部ＣＴ画像を生成する画像生成手段と、
前記胸部ＣＴ画像の画素のうちでＣＴ値が前記肺野の画質を向上するための胸部用閾値以下の画素についてのみ高周波数領域強調処理を行って高域強調画像を作成する高域強調画像作成手段と、
前記高域強調画像を表示する高域強調画像表示手段とを具備したことを特徴とする医用画像表示装置。
【請求項２】
前記胸部用閾値となるＣＴ値は−２００であることを特徴とする請求項１に記載の医用画像表示装置。
【請求項３】
設定された画像表示するＣＴ値の幅（Ｗ／Ｗ）及び画像表示するＣＴ値の中央値（Ｗ／Ｌ）に基づいて前記高域強調画像作成手段で作成された高域強調画像を表示処理することを特徴とする請求項１又は請求項２に記載の医用画像表示装置。
【発明の詳細な説明】
【０００１】
【発明の属する技術分野】
この発明は、医用画像表示装置に関し、さらに詳しくは、オペレータに操作の負担をかけることなく且つ迅速に最適のＣＴ（Ｃｏｍｐｕｔｅｄ  Ｔｏｍｏｇｒａｐｈｙ）画像を表示することができる医用画像表示装置に関する。
【０００２】
【従来の技術】
図１１は、Ｘ線ＣＴ装置による画像生成処理のフローチャートである。
ステップＶ１では、被検体を走査し、スキャンデータを収集する。
ステップＶ２では、スキャンデータに前処理（例えばデータの補正など）を行う。
ステップＶ３では、スキャンデータをフーリエ変換し、周波数領域のデータに変換する。
ステップＶ４では、ノイズを目立たなくするため、周波数領域のデータに高域抑制フィルタリングを行う。
ステップＶ５では、周波数領域のデータを逆フーリエ変換し、元のスキャンデータに戻す。
ステップＶ６では、スキャンデータに対して逆投影演算を施し、画像を生成する。
以上により生成された画像は、高域が抑制された高域抑制画像である。なお、上記ステップＶ３〜Ｖ５を省略すると、高域が抑制されていない非高域抑制画像が生成される。
【０００３】
図１２は、従来の画像表示処理のフローチャートである。
ステップＤ５１では、オペレータは、高域強調の要否と，Ｗ／Ｗ（画像表示するＣＴ値の幅）と，Ｗ／Ｌ（画像表示するＣＴ値の中央値）とを設定する。
ステップＤ５２では、高域強調が‘要’に設定されたか、‘否’に設定されたかを判定し、‘要’が設定されていればステップＤ５３へ進み、‘否’が設定されていればステップＤ５４へ進む。
ステップＤ５３では、Ｘ線ＣＴ装置で被検体を走査して得た画像（原画像）に対して高域強調を行い、高域強調画像を作成する。
ステップＤ５４では、Ｗ／ＷとＷ／Ｌの設定値に基づいて、前記高域強調画像（高域強調が‘要’のとき）または前記原画像（高域強調が‘否’のとき）から表示用画像を作成し、表示する。そして、前記ステップＤ５１に戻る。
【０００４】
図１３は、Ｘ線ＣＴ装置で被検体の胸部を走査して得た画像（胸部画像）に対して、高域強調‘要’，Ｗ／Ｗ＝１０００，Ｗ／Ｌ＝−７００を設定したときの表示用画像Ｌｅである。
高域強調されているため、肺野ｈの細かい血管ｋが良く現れている。なお、Ｗ／Ｗ＝１０００，Ｗ／Ｌ＝−７００の設定では、縦隔ｊは見えない（ＣＴ値が高いため、白く抜ける）。
図１４は、胸部画像に対して、高域強調‘否’，Ｗ／Ｗ＝３００，Ｗ／Ｌ＝０を設定したときの表示用画像Ｍｎである。
縦隔ｊが良く現れている。なお、Ｗ／Ｗ＝３００，Ｗ／Ｌ＝０の設定では、肺野ｈは見えない（ＣＴ値が低いため、黒く抜ける）。
図１５は、胸部画像に対して、高域強調‘否’，Ｗ／Ｗ＝１０００，Ｗ／Ｌ＝−７００を設定したときの表示用画像Ｌｎである。
高域強調されていないため、肺野ｈの細かい血管ｋが見えにくい。なお、Ｗ／Ｗ＝１０００，Ｗ／Ｌ＝−７００の設定では、縦隔ｊは見えない（白く抜ける）。
図１６は、胸部画像に対して、高域強調‘要’，Ｗ／Ｗ＝３００，Ｗ／Ｌ＝０を設定したときの表示用画像Ｍｅである。
高域強調されているため、縦隔ｊが不自然で見ずらい。なお、Ｗ／Ｗ＝３００，Ｗ／Ｌ＝０の設定では、肺野ｈは見えない（黒く抜ける）。
【０００５】
図１７は、Ｘ線ＣＴ装置で被検体の頭部を走査して得た画像（頭部画像）に対して、高域強調‘要’，Ｗ／Ｗ＝１５００，Ｗ／Ｌ＝１５０を設定したときの表示用画像Ｈｅである。
高域強調されているため、頭骨ｃの細部まで良く現れている。なお、Ｗ／Ｗ＝１５００，Ｗ／Ｌ＝１５０の設定では、脳ｎは見えない（ＣＴ値が低いため、黒く抜ける）。
図１８は、頭部画像に対して、高域強調‘否’，Ｗ／Ｗ＝９０，Ｗ／Ｌ＝３５を設定したときの表示用画像Ｂｎである。
脳ｎが良く現れている。なお、Ｗ／Ｗ＝９０，Ｗ／Ｌ＝３５の設定では、頭骨ｃは見えない（ＣＴ値が高いため、白く抜ける）。
図１９は、頭部画像に対して、高域強調‘否’，Ｗ／Ｗ＝１５００，Ｗ／Ｌ＝１５０を設定したときの表示用画像Ｈｎである。
高域強調されていないため、頭骨ｃの細部が見えにくい。なお、Ｗ／Ｗ＝１５００，Ｗ／Ｌ＝１５０の設定では、脳ｎは見えない（黒く抜ける）。
図２０は、頭部画像に対して、高域強調‘要’，Ｗ／Ｗ＝９０，Ｗ／Ｌ＝３５を設定したときの表示用画像Ｂｅである。
高域強調されているため、脳ｎが不自然で見ずらい。なお、Ｗ／Ｗ＝９０，Ｗ／Ｌ＝３５の設定では、頭骨ｃは見えない（白く抜ける）。
【０００６】
【発明が解決しようとする課題】
図１３，図１４から判るように、同じ胸部画像であっても、肺野ｈを見たい場合と縦隔ｊを見たい場合では、高域強調の要否と，Ｗ／Ｗと，Ｗ／Ｌの設定値を全て変えなければ、最適の表示用画像Ｌｅ，Ｍｎが得られない。もし、Ｗ／Ｗと，Ｗ／Ｌの設定値が正しくても、高域強調の要否を間違うと、図１５，図１６のように不適正な表示用画像Ｌｎ，Ｍｅとなってしまう。
また、図１７，図１８から判るように、同じ頭部画像であっても、頭骨ｃを見たい場合と脳ｎを見たい場合では、高域強調の要否と，Ｗ／Ｗと，Ｗ／Ｌの設定値を全て変えなければ、最適の表示用画像Ｈｅ，Ｂｎが得られない。もし、Ｗ／Ｗと，Ｗ／Ｌの設定値が正しくても、高域強調の要否を間違うと、図１９，図２０のように不適正な表示用画像Ｈｎ，Ｂｅとなってしまう。
【０００７】
しかし、高域強調を‘否’から‘要’に変更すると、高域強調処理を画像の全画素に対して行う処理時間がかかる。このため、同じ胸部画像を使用しているにもかかわらず、肺野ｈを見るのに最適の表示用画像Ｌｅと，縦隔ｊを見るのに最適の表示用画像Ｍｎとを相互に迅速に切り替えられない問題点がある。また、同じ頭部画像を使用しているにもかかわらず、頭骨ｃを見るのに最適の表示用画像Ｈｅと，脳ｎを見るのに最適の表示用画像Ｂｎとを相互に迅速に切り替えられない問題点がある。
【０００８】
なお、原画像が非高域抑制画像である場合には、平滑化の要否を設定変更する必要があり、上記と同じ問題点がある。
【０００９】
そこで、この発明の目的は、高域強調や平滑化の要否の設定変更を行う操作負担をオペレータにかけることなく且つ迅速に最適のＣＴ画像を表示することができる医用画像表示装置を提供することにある。
【００１０】
【課題を解決するための手段】
本発明は、被検体の胸部を走査して収集したスキャンデータに対して順に、フーリエ変換、高周波数領域抑制フィルタリング、フーリエ逆変換、逆投影演算を行って肺野及び縦縞を含む胸部ＣＴ画像を生成する画像生成手段と、前記胸部ＣＴ画像の画素のうちでＣＴ値が前記肺野の画質を向上するための胸部用閾値以下の画素についてのみ高周波数領域強調処理を行って高域強調画像を作成する高域強調画像作成手段と、前記高域強調画像を表示する高域強調画像表示手段とを具備したことを特徴とする医用画像表示装置を提供する。
【００２２】
【発明の実施の形態】
以下、図に示す実施の形態によりこの発明をさらに詳細に説明する。なお、これによりこの発明が限定されるものではない。
【００２３】
−第１の実施形態−
図１は、この発明の一実施形態にかかる医用画像表示装置１００を示す構成ブロック図である。
この医用画像表示装置１００は、Ｘ線ＣＴ装置Ｘで被検体をスキャンし生成した原画像や画像処理した後の処理画像を記憶する画像記憶部１と，前記原画像や処理画像から表示用画像を作成する表示処理部２と，前記表示用画像を表示する表示部３と，各種の演算や各部の作動を制御する演算制御部４と，オペレータの入力を受け付ける操作部５とを具備して構成されている。
【００２４】
図２は、上記医用画像表示装置１００における画像表示処理のフローチャートである。
ステップＤ１では、原画像が高域抑制画像か非高域抑制画像かを判定し、高域抑制画像であればステップＤ２へ進み、非高域抑制画像であればステップＤ５へ進む。
【００２５】
ステップＤ２では、原画像が胸部画像か頭部画像かを判定し、胸部画像であればステップＤ３へ進む。一方、頭部画像であればステップＤ４へ進む。
ステップＤ３では、原画像の画素のうちでＣＴ値が胸部用閾値（例えば−２００）以下の画素についてのみ高域強調処理を行って、部分高域強調画像を作成する。そして、ステップＤ８へ進む。
ステップＤ４では、原画像の画素のうちでＣＴ値が頭部用閾値（例えば７０）以上の画素についてのみ高域強調処理を行って、部分高域強調画像を作成する。そして、ステップＤ８へ進む。
ここで、高域強調処理には、例えば図３や図４に示すごとき空間フィルタを用いる。
【００２６】
図２に戻り、ステップＤ５では、原画像が胸部画像か頭部画像かを判定し、胸部画像であればステップＤ６へ進む。一方、頭部画像であればステップＤ７へ進む。
ステップＤ６では、原画像の画素のうちでＣＴ値が胸部用閾値（例えば−２００）より大の画素についてのみ平滑化処理を行って、部分平滑化画像を作成する。そして、ステップＤ８へ進む。
ステップＤ７では、原画像の画素のうちでＣＴ値が頭部用閾値（例えば７０）より小の画素についてのみ平滑化処理を行って、部分平滑化画像を作成する。そして、ステップＤ８へ進む。
ここで、平滑化処理には、例えば図５や図６に示すごとき空間フィルタを用いる。
【００２７】
ステップＤ８では、オペレータは、Ｗ／Ｗ（画像表示するＣＴ値の幅）と，Ｗ／Ｌ（画像表示するＣＴ値の中央値）とを設定する。
ステップＤ９では、Ｗ／ＷとＷ／Ｌの設定値に基づいて、前記部分高域強調画像または前記部分平滑化画像から表示用画像を作成し、表示する。そして、前記ステップＤ８に戻る。
【００２８】
図７は、部分高域強調胸部画像に対して、Ｗ／Ｗ＝１０００，Ｗ／Ｌ＝−７００を設定したときの表示用画像Ｌｅである。
肺野ｈは高域強調されているため、肺野ｈの細かい血管ｋが良く現れている。なお、Ｗ／Ｗ＝１０００，Ｗ／Ｌ＝−７００の設定では、縦隔ｊは見えない（ＣＴ値が高いため、白く抜ける）。
図８は、部分高域強調胸部画像に対して、Ｗ／Ｗ＝３００，Ｗ／Ｌ＝０を設定したときの表示用画像Ｍｎである。
縦隔ｊは高域強調されていないため、見やすい画像になっている。なお、Ｗ／Ｗ＝３００，Ｗ／Ｌ＝０の設定では、肺野ｈは見えない（ＣＴ値が低いため、黒く抜ける）。
【００２９】
図９は、部分高域強調頭部画像に対して、Ｗ／Ｗ＝１５００，Ｗ／Ｌ＝１５０を設定したときの表示用画像Ｈｅである。
頭骨ｃは高域強調されているため、頭骨ｃの細部まで良く現れている。なお、Ｗ／Ｗ＝１５００，Ｗ／Ｌ＝１５０の設定では、脳ｎは見えない（ＣＴ値が低いため、黒く抜ける）。
図１０は、部分高域強調頭部画像に対して、Ｗ／Ｗ＝９０，Ｗ／Ｌ＝３５を設定したときの表示用画像Ｂｎである。
脳ｎは高域強調されていないため、見やすい画像になっている。なお、Ｗ／Ｗ＝９０，Ｗ／Ｌ＝３５の設定では、頭骨ｃは見えない（ＣＴ値が高いため、白く抜ける）。
【００３０】
上記医用画像表示装置１００によれば、オペレータが原画像の画質や診断目的部位を考慮して高域強調や平滑化の要否の設定や変更を行う操作をする必要がなく、Ｗ／ＷとＷ／Ｌの値を設定変更するだけで、肺野ｈを見るのに最適の表示用画像Ｌｅと縦隔ｊを見るのに最適の表示用画像Ｍｎとを相互に迅速に切り替えることが出来る。また、頭骨ｃを見るのに最適の表示用画像Ｈｅと脳ｎを見るのに最適の表示用画像Ｂｎとを相互に迅速に切り替えることが出来る。
【００３１】
【発明の効果】
この発明の医用画像表示装置によれば、高域強調や平滑化の要否の設定や変更を行う操作の負担をオペレータにかけることなく、且つ、迅速に、最適のＣＴ画像を表示することが出来る。
【図面の簡単な説明】
【図１】この発明の一実施形態にかかる医用画像表示装置の構成ブロック図である。
【図２】図１の医用画像表示装置における画像表示処理のフローチャートである。
【図３】高域強調処理用の空間フィルタの例示図である。
【図４】高域強調処理用の別の空間フィルタの例示図である。
【図５】平滑化処理用の空間フィルタの例示図である。
【図６】平滑化処理用の別の空間フィルタの例示図である。
【図７】肺野を見るのに最適の表示用画像の例示図である。
【図８】縦隔を見るのに最適の表示用画像の例示図である。
【図９】頭骨を見るのに最適の表示用画像の例示図である。
【図１０】脳を見るのに最適の表示用画像の例示図である。
【図１１】Ｘ線ＣＴ装置による画像生成処理のフローチャートである。
【図１２】従来の画像表示処理のフローチャートである。
【図１３】肺野を見るのに最適の表示用画像の例示図である。
【図１４】縦隔を見るのに最適の表示用画像の例示図である。
【図１５】肺野を見るのに不適切な表示用画像の例示図である。
【図１６】縦隔を見るのに不適切な表示用画像の例示図である。
【図１７】頭骨を見るのに最適の表示用画像の例示図である。
【図１８】脳を見るのに最適の表示用画像の例示図である。
【図１９】頭骨を見るのに不適切な表示用画像の例示図である。
【図２０】脳を見るのに不適切な表示用画像の例示図である。
【符号の説明】
１００          医用画像表示装置
１              画像記憶部
２              表示処理部
３              表示部
４              演算制御部
５              操作部
Ｘ              Ｘ線ＣＴ装置
【図１】
0003625933.tif 000002
【図２】
0003625933.tif 000003
【図３】
0003625933.tif 000004
【図４】
0003625933.tif 000005
【図５】
0003625933.tif 000006
【図６】
0003625933.tif 000007
【図７】
0003625933.tif 000008
【図８】
0003625933.tif 000009
【図９】
0003625933.tif 000010
【図１０】
0003625933.tif 000011
【図１１】
0003625933.tif 000012
【図１２】
0003625933.tif 000013
【図１３】
0003625933.tif 000014
【図１４】
0003625933.tif 000015
【図１５】
0003625933.tif 000016
【図１６】
0003625933.tif 000017
【図１７】
0003625933.tif 000018
【図１８】
0003625933.tif 000019
【図１９】
0003625933.tif 000020
【図２０】
0003625933.tif 000021